(57)【要約】【課題】  身体の体温を上昇させることのできる部位（褐色脂肪細胞のあるところやツボ）を容易かつ正確に、さらにやけどをすることなく暖めて速やかに体温の上昇を図ることができたり、風邪の予防と治療に役立つツボを押圧して刺激することによって、風邪の予防や治療を行なうことのできる風邪予防治療具を提供することにある。【解決手段】  身体に着用して用いるものであって、身体に着用した際に、人体の背部の肩甲骨の間及び又は胸部を暖めることのできる部位に対応する位置にポケット部を設け、このポケット部へ加温手段を収容させることにより、前記の課題を解決した。【選択図】        図２
2009011548.tif 000002
【特許請求の範囲】
【請求項１】
身体に着用して用いるものであって、身体に着用した際に、人体の背部の肩甲骨の間及び又は胸部を暖めることのできる部位に対応する位置にポケット部を設け、このポケット部へ加温手段を収容させることを特徴とする、風邪予防治療具。
【請求項２】
身体に着用して用いるものがベストであり、このベストの後身頃及び又は前身頃の部分にポケット部を設け、このポケット部に加温手段を収容させることにより、前記ベストを着用した際に背中の肩甲骨の間及び又は胸部を暖めることのできるように成したことを特徴とする、風邪予防治療具。
【請求項３】
前記ポケット部は、身体に着用して用いるものの外側に設けた外ポケット部であることを特徴とする、請求項１乃至２のいずれか１項に記載した風邪予防治療具。
【請求項４】
前記ポケット部は、身体に着用して用いるものの内側に設けた内ポケット部であることを特徴とする、請求項１乃至２のいずれか１項に記載した風邪予防治療具。
【請求項５】
身体を仰向けにした状態で身体の下側に置いて用いるものであって、加温手段が装備されていることを特徴とする、風邪予防治療具。
【請求項６】
身体を仰向けにした状態で身体の下側に置いて用いるものであって、加温手段を装備し、その上面に身体の背部の肩甲骨の間のツボを刺激する、突起が設けられていることを特徴とする、風邪予防治療具。
【請求項７】
座椅子と、この座椅子の背もたれ部に設けた加温手段から成り、座椅子に座った状態で背中の肩甲骨の間を暖めることができるように構成したことを特徴とする、風邪予防治療具。
【発明の詳細な説明】
【技術分野】
【０００１】
本発明は、身体の特定の部位を温めたり、押圧したりすることによって、風邪の予防や治療を行うことのできる風邪予防治療具に関するものである。
【背景技術】
【０００２】
風邪には一般的に普通感冒と流行性感冒がある。流行性感冒にはこれに罹患しないようにする予防ワクチンがあるが、年間を通していつでも罹る恐れのある普通感冒には、予防ワクチンのようなものが存在していない。従って、その予防には身体を暖かい状態に保ち、うがいや手洗いを励行し、急激な体温の低下を防ぐ以外に予防方法がないのが実情である。
一度この風邪に罹患すると、人体には体内に入ってきた細菌やウイルスに対抗するため、発熱することによって体温を上げ、それにより免疫力を高めることで、細菌やウイルスから身体を防衛する防衛システムのあることが知られている。
この防衛システムでいう免疫力とは、生体の胸腺に備わっているものであって、たんぱく質の一種である白血球を主体にリンパ球に存在するＢ細胞、Ｔ細胞、ＮＫ細胞によって防衛システムを作動させる力のことを言う。そして、前述のように、風邪に罹患すると身体が発熱し、体温が３８．５℃程度に上がると、それによって、上述した防衛システムが発動しやすくなると共に、その上がった体温によって、細菌やウイルス等を死滅させることで風邪を治すことができるものである。
【０００３】
ところで、人体の肩甲骨付近や首、或は脇、心臓、腰の下側等には、褐色脂肪細胞といって、脂肪を燃焼させることにより人間の体温の上昇を促す細胞がたくさん存在することが知られている。従って、体温の上昇を促す褐色脂肪細胞を暖めることにより活性化させ、速やかに体温を上昇させて上述した防衛システムを発動させると、上昇した体温で細菌やウイルスを死滅させることが可能である。
【０００４】
また、人体には図１０と図１１に示したように、前側の胸の部分と後側の肩甲骨の間の部分に、それぞれ神封、期門、及び風門、肺兪、心兪といったツボが左右一対ずつ存在することが知られている。その他、首のつけ根の部分にも前後に一個所ずつ天突と大椎というツボがあり、肩甲骨の間の部分に風門というツボのあることが知られている。そして、これらのツボを暖めたり、押圧することによって、風邪の予防をしたり、風邪の治療を行うことができることが知られている。
【発明の開示】
【発明が解決しようとする課題】
【０００５】
上記褐色脂肪細胞やツボ等を暖めることで人体の体温を上昇させる方法としては、たとえばドライヤーやストーブを用いる方法がある。しかし、風邪に罹患した患者が、ドライヤーで上記ツボを暖めようとする場合、胸部分であれば比較的容易に暖めることができるが、背中にある風門を暖めることは無理な姿勢でしなければならないため、ドライヤーの位置を正確に保つのが困難である上に、ドライヤーを身体に近づけ過ぎれば、やけどをする恐れがあり、また、遠すぎれば、適切に暖めることができないという問題がある。
【０００６】
他方において、ストーブで人体の褐色脂肪細胞やツボを暖めるという方法もあるが、この場合は特に患者が起き上がって褐色脂肪細胞やツボの部分を暖めなくてはならず、風邪を引いてしまって静かに寝ていなくてはならない患者にとっては現実的な治療方法とはいえない。さらに、人間の背中の肩甲骨の間にあるツボは、自分の手で押圧することは困難である。
上述したように、暖めることによって、体温の速やかな上昇を図ることのできる褐色脂肪細胞が存在するところや、押したり暖めたりすることによって風邪を予防したり、体温を上昇させたりすることのできる部位（ツボ）は、身体のいろんなところに存在するが、この発明はとくに、胸部の褐色脂肪細胞のあるところや、神封、期門といったツボのある部位、及び又は背部の肩甲骨の間の褐色脂肪細胞のあるところや、風門、肺兪、心兪といったツボのある部位を押圧したり、効率よく正確に暖めたり、押圧することができるようにして、風邪の予防と治療を行うことができるようにしたものである。
【０００７】
本発明の目的は、身体の体温を上昇させることのできる部位（褐色脂肪細胞のあるところやツボ）を容易かつ正確に、さらにやけどをすることなく暖めて速やかに体温の上昇を図ることができたり、風邪の予防と治療に役立つツボを押圧して刺激することによって、風邪の予防や治療を行なうことのできる風邪予防治療具を提供せんとするところにある。
【課題を解決するための手段】
【０００８】
上述した目的を達成するためにこの発明は、身体に着用して用いるものであって、身体に着用した際に、人体の背部の肩甲骨の間及び又は胸部を暖めることのできる部位に対応する位置にポケット部を設け、このポケット部へ加温手段を収容させることを特徴とする。
その際に、この発明は、身体に着用して用いるものがベストとし、このベストの後身頃及び又は前身頃の部分にポケット部を設け、このポケット部に加温手段を収容させることにより、前記ベストを着用した際に背中の肩甲骨の間及び又は胸部を暖めることのできるように成したことを特徴とする。
この発明はさらに、前記ポケット部を、身体に着用して用いるものの外側に設けた外ポケット部としたり、内ポケット部とすることができる。
この発明はさらに、身体を仰向けにした状態で身体の下側に置いて用いるものであって、加温手段を装備させることを特徴とする。  
その際にこの発明は、加温手段に加えて、その上面に身体の背部の肩甲骨の間のツボを刺激する突起を設けたものとすることができる。
そして、この発明は、座椅子と、この座椅子の背もたれ部に設けた加温手段で構成し、座椅子に座った状態で背中の肩甲骨の間を暖めることができるように構成することができる。
【発明の効果】
【０００９】
本願発明によれば、暖めることによって風邪の予防や治療を行うことのできる背中の肩甲骨の間や胸部を加温手段で暖めたり、肩甲骨の間のツボを押圧刺激するこができるので、これによって人手を煩わせることなく、風邪の予防や治療を行うことができるものである。
【実施例１】
【００１０】
図面はこの発明に係る風邪予防治療具の一実施例を示し、図１乃至図５において、指示記号１で示したものは、チョッキ或はベスト（以下単にベストという）であり、その前部の左右の前身頃１ａ，１ｂの部分で、人体に着用したときに胸部にある褐色脂肪細胞や、とくに神封や期門といったツボに対応する箇所に左右一対の前部外ポケット部２、３が取り付けられており、この前部外ポケット部２、３内部には、加温手段４、５が入れられている。
【００１１】
この前部外ポケット部に２、３に対応する前身頃１ａ，１ｂの内側には、前部内ポケット部が設けられていないが、これは前部外ポケット部２、３がある場合は必須用件ではない。この前部内ポケット部は主として加温手段４，５の温度調節を行うもので、内部にハンカチ、布、タオル等の温度調節手段を折り畳んで入れて温度調節を行うものである。尚、この温度調節は、前部外ポケット部２、３に加温手段４，５と共にタオル等の温度調節手段を入れて行っても良い。また、前部外ポケット部２、３を省略して、前部内ポケット部のみとして、内部に加温手段を入れるようにしても良い。
【００１２】
次に、ベスト１の後身頃１ｃの上部中央の部分、即ち人体の背部の褐色脂肪細胞や風門、肺兪、心兪といったツボに対応する部位に対応する箇所には、後部外ポケット部６が取り付けられており、この後部外ポケット部６内部には加温手段７が入れられている。後身頃の内側の後部外ポケット部６に対応する部分には、後部内ポケット部８が設けられている。この後部内ポケット部８もどうしても設けなくてはならないというものではなく、必要に応じて設け、中にハンカチ、布、タオル等の温度調節手段９を入れて温度調節を行うものである。
【００１３】
尚、この温度調節手段９は、後部外ポケット部６内に加温手段７と共に折り畳んだタオル等の温度調節手段７ａを入れて行っても良いことは、前部内ポケット部の場合と同じである。また、この後部内ポケット部８に加温手段を入れて後部外ポケット部６を省略しても良い。
【００１４】
各外ポケット部２、３、及び６には、ボタン２ａ、３ａ，及び６ａ付きのポケットカバー２ｂ、３ｂ、及び６ｂが取り付けられている。このボタン２ａ、３ａ、及び６ａ付きのポケットカバー２ｂ、３ｂ、及び６ｂは、これがあると、身をかがめた際に、加温手段４、５、および７が前部外ポケット部２、３、及び後部外ポケット部６より落下してしまうのを防止できるが、必須のものではない。以上のことは、後部内ポケット部８にポケットカバーを取り付ける場合にも当て嵌まるものである。
【００１５】
その他、必要に応じて、左右の前身頃１ａ、１ｂと後身頃１ｃの下側に、下側内ポケット部１０、１１と１２を設け、中に加温手段や防寒手段や保温手段を入れて腹部や腰部を暖めるようにしても良い。
【００１６】
加温手段としては、例えば活性炭懐炉、白金懐炉、電気充電式懐炉、或はゲルマニウム岩盤石を温めたもので良く、その種類に限定されない。また、寝た状態で着用している場合には、電気を用いて加温する加温手段であっても良いが、着用して歩き回るものは、電気を用いないものが好ましい。さらに、この加温手段は蒸しタオルをビニール袋に入れたものであっても良い。
【００１７】
この発明は以上のように構成したので、図４と図５に示したように、このベスト１を着用すると、加温手段４，５、及び７が発する熱によって、図１０や図１１に示したように、背中の肩甲骨の間にある風門、肺兪、心兪の部分や、胸部の神封、期門等が暖められることによって、体温が上昇する。この体温の上昇によって風邪を引いた人は免疫システムが活動して速やかなる風邪の回復を図ることができる。
【００１８】
この発明者は、実際に風邪に罹患した際に、上述したように構成したベスト１を製作して、後部外ポケット部６に市販されている活性炭懐炉（使い捨て懐炉）から成る加温手段７を収容させた上で、これをパジャマの上から着用し、肩甲骨の間のツボの部分を暖めつつ、３時間ほど布団の中で寝ていたところ、体温が速やかに上昇し、発汗がなされ、風邪の症状が著しく軽減し、完治した。風邪を引いていない場合でも、もともと背中の風門等の部分を暖めたり、押圧したりして刺激を与えると、風邪の予防になることが東洋医学で明らかにされており、このベスト１を着用することによって、背中の風門、肺兪、心兪等や胸部の神封、期門等を暖めていることにより、体温の低下を防いで、風邪引きの予防を行うことができるものであることは明らかである。
【００１９】
また、必要に応じて、下部内ポケット部にも加温手段や保温用帯や布を入れることにより、身体を暖めることができ、風邪の予防乃至治療を行うことができるものである。
【実施例２】
【００２０】
図６乃至図７はこの発明に係る風邪予防治療具の他の実施例を示す。この実施例２に係る風邪予防治療具２０は、ケース状の器具本体２１内部に加温手段２２を収容させる構成となっており、その上面にはツボを刺激する複数の突起２３が設けられている。この風邪予防治療具２０を実施例１のベスト１の後部外ポケット部６に入れるか、単独で背中の肩甲骨の間に置いて、仰向けに寝ることによって身体を暖めると同時に、人間の背中の肩甲骨の間にある、風門、肺兪、心兪といったツボを刺激して、風邪の予防及び治療を図るものである。
【実施例３】
【００２１】
図８は、さらに他の実施例を示す。この実施例３の風邪予防治療具２５は枕部２６ａ付きのケース体２６に上述した実施例１の加温手段７を装備するか、電熱による加温手段２７を装備させることにより、これらの加温手段７や２７の部分を背中の風門等のツボの部分に当てがい、仰向けに寝ることにより、背中のツボの部分を暖め、風邪の治療を行うものである。尚、この風邪予防治療具２５は、これを上述した実施例１のベスト１の後身頃に設けた後部外ポケット部６へ入れて用いることもできる。
【実施例４】
【００２２】
図９はさらにこの発明に係る風邪防止治療具を示す。この実施例４に係る風邪予防治療具３０は、座椅子３１の背もたれ３１ａの上部に加温手段３２を取り付けたものであり、座椅子３１に座って背もたれ３１ａに背中を押し当てることにより、背中の風門、肺兪、心兪等のツボの部分を暖めることができるようになっている。尚、加温手段３２については、電熱によるものと、上述した実施例１の各種懐炉（例えば活性炭懐炉、白金懐炉、電気充電式懐炉）、或はゲルマニウム岩盤石を温めたものや蒸しタオルをビニール袋に入れたもので良い。
【図面の簡単な説明】
【００２３】
【図１】この発明の一実施例に係る風邪予防治療具の正面図である。
【図２】この発明の一実施例に係る風邪予防治療具の背面図である。
【図３】図１のＡ−Ａ線断面図である。
【図４】図１〜図３に示した風邪予防治療具を身体に着用した場合の正面図である。
【図５】図４の背面図である。
【図６】この発明に係る風邪予防治療具の他の実施例の側面図である。
【図７】図６に記載した風邪予防治療具の平面図である。
【図８】この発明に係る風邪予防治療具のさらに他の実施例を示す斜視図で            ある。
【図９】この発明に係る風邪予防治療具のさらに他の実施例を示す側面図で            ある。
【図１０】人体の胸部のツボを説明する説明図である。
【図１１】人体の背中のツボを説明する説明図である。
【符号の説明】
【００２４】
１  ベスト
１a、１ｂ  前身頃
１ｃ  後身頃
２、３  前部外ポケット部
４、５、７  加温手段
６  後部外ポケット部
８  後部内ポケット部
２１  器具本体
２２  加温手段
２３  突起
２７  加温手段
３１  座椅子
３１a  背もたれ
３２  加温手段
【図１】
2009011548.tif 000003
【図２】
2009011548.tif 000004
【図３】
2009011548.tif 000005
【図４】
2009011548.tif 000006
【図５】
2009011548.tif 000007
【図６】
2009011548.tif 000008
【図７】
2009011548.tif 000009
【図８】
2009011548.tif 000010
【図９】
2009011548.tif 000011
【図１０】
2009011548.tif 000012
【図１１】
2009011548.tif 000013